(57)【特許請求の範囲】
【請求項１】
円筒状又は円柱状の被帯電体の軸方向に沿って延びる放電電極と、
前記被帯電体と前記放電電極との間に配置され、前記被帯電体の周面に沿って湾曲された電位制御板と、
を備え、
前記電位制御板は、
前記被帯電体の周方向へ配列され、前記被帯電体の軸方向に沿って直線状に延びる３本以上の構造線と、
前記被帯電体の軸方向へ配置され、前記３本以上の構造線のうち前記被帯電体の周方向へ連続する一部を連結する複数の連結部と、を有し、
前記複数の連結部のうち一の連結部と他の連結部とが連結する構造線は、少なくとも一部が異なり、
前記複数の連結部は、前記被帯電体の軸方向両端部よりも軸方向中央部において、低密度とされている帯電装置。
【請求項２】
円筒状又は円柱状の被帯電体の軸方向に沿って延びる放電電極と、
前記被帯電体と前記放電電極との間に配置され、前記被帯電体の周面に沿って湾曲された電位制御板と、
を備え、
前記電位制御板は、
前記被帯電体の周方向へ配列され、前記被帯電体の軸方向に沿って直線状に延びる４本以上の構造線と、
前記被帯電体の軸方向へ配置され、前記４本以上の構造線のうち前記被帯電体の周方向へ連続する２本の構造線を連結する複数の連結部と、を有し、
前記複数の連結部は、前記被帯電体の軸方向へ隣り合うすべての連結部同士において、異なる前記構造線を連結する帯電装置。
【請求項３】
前記複数の連結部のうち前記被帯電体の軸方向へ連続して配置された連結部は、前記被帯電体の周方向に沿って同じピッチで形成されている請求項１又は請求項２に記載の帯電装置。
【請求項４】
前記電位制御板を清掃する清掃部材を備え、
前記複数の連結部は、前記構造線に対して２０度以上の角度を有する請求項１〜３のいずれか１項に記載の帯電装置。
【請求項５】
前記電位制御板は、前記帯電装置に取り付けられていないときは平板形状であり、前記帯電装置への取り付け状態で、前記被帯電体の軸方向へ張力を与える張力付与部材と、前記被帯電体の軸方向両端側に設けられる湾曲規制部材とにより湾曲形状となる請求項１〜４のいずれか１項に記載の帯電装置。
【請求項６】
前記電位制御板は、前記湾曲規制部材に対向する湾曲維持部材と前記湾曲規制部材とで挟み込まれることで湾曲形状を維持する請求項５に記載の帯電装置。
【請求項７】
請求項１〜６のいずれか１項に記載の帯電装置と、
前記帯電装置によって帯電され、オーバーコート層を有する被帯電体としての感光体と、
を備える画像形成装置。
【請求項８】
円筒状又は円柱状の被帯電体の周面に沿って湾曲された電位制御板であって、
前記被帯電体の周方向へ配列され、前記被帯電体の軸方向に沿って直線状に延びる３本以上の構造線と、
前記被帯電体の軸方向へ配置され、前記３本以上の構造線のうち前記被帯電体の周方向へ連続する一部を連結する複数の連結部と、を有し、
前記複数の連結部のうち一の連結部と他の連結部とが連結する構造線は、少なくとも一部が異なり、
前記複数の連結部は、前記被帯電体の軸方向両端部よりも軸方向中央部において、低密度とされている電位制御板。
【請求項９】
円筒状又は円柱状の被帯電体の周面に沿って湾曲された電位制御板であって、
前記被帯電体の周方向へ配列され、前記被帯電体の軸方向に沿って直線状に延びる４本以上の構造線と、
前記被帯電体の軸方向へ配置され、前記４本以上の構造線のうち前記被帯電体の周方向へ連続する２本の構造線を連結する複数の連結部と、を有し、
前記複数の連結部は、前記被帯電体の軸方向に隣り合うすべての連結部同士において、異なる前記構造線を連結する電位制御板。
【発明の詳細な説明】
【技術分野】
【０００１】
本発明は、帯電装置、画像形成装置及び電位制御板に関する。
【背景技術】
【０００２】
特許文献１には、感光体ドラムの曲率に沿って配置されたグリッド電極を有するスコロトロン帯電装置が開示されている。このスコロトロン帯電装置では、公開公報図５に示すように、グリッド電極２３は、複数の開口部２３１と、短手方向に間隔が一定のパターン線２３２を有している。長手方向両端部には、張設するための引掛け部２３３Ａ、２３３Ｂが一体に形成されている。２３３Ａ、２３３Ｂはそれぞれ、引掛けるための本体部２３３ａと、短手方向外側へ拡がるように延びる一対の腕部２３３ｂとから構成されている。
【先行技術文献】
【特許文献】
【０００３】
【特許文献１】２００８−２６２１１４号公報
【発明の概要】
【発明が解決しようとする課題】
【０００４】
本発明は、電位制御板を被帯電体へ近接化できるようにすると共に被帯電体の軸方向における帯電ムラを抑制することを課題とする。
【課題を解決するための手段】
【０００５】
請求項１の発明は、円筒状又は円柱状の被帯電体の軸方向に沿って延びる放電電極と、前記被帯電体と前記放電電極との間に配置され、前記被帯電体の周面に沿って湾曲された電位制御板と、を備え、前記電位制御板は、前記被帯電体の周方向へ配列され、前記被帯電体の軸方向に沿って直線状に延びる３本以上の構造線と、前記被帯電体の軸方向へ配置され、前記３本以上の構造線のうち前記被帯電体の周方向へ連続する一部を連結する複数の連結部と、を有し、前記複数の連結部のうち一の連結部と他の連結部とが連結する構造線は、少なくとも一部が異なり、前記複数の連結部は、前記被帯電体の軸方向両端部よりも軸方向中央部において、低密度とされている帯電装置である。
【０００８】
請求項３の発明では、前記複数の連結部のうち前記被帯電体の軸方向へ連続して配置された連結部は、前記被帯電体の周方向に沿って同じピッチで形成されている。
【００１０】
請求項４の発明は、前記電位制御板を清掃する清掃部材を備え、前記複数の連結部は、前記構造線に対して２０度以上の角度を有する。
【００１１】
請求項５の発明では、前記電位制御板は、前記帯電装置に取り付けられていないときは平板形状であり、前記帯電装置への取り付け状態で、前記被帯電体の軸方向へ張力を与える張力付与部材と、前記被帯電体の軸方向両端側に設けられる湾曲規制部材とにより湾曲形状となる。
【００１２】
請求項６の発明では、前記電位制御板は、前記湾曲規制部材に対向する湾曲維持部材と前記湾曲規制部材とで挟み込まれることで湾曲形状を維持する。
【００１３】
請求項７の発明は、請求項１〜６のいずれか１項に記載の帯電装置と、前記帯電装置によって帯電され、オーバーコート層を有する被帯電体としての感光体と、を備える画像形成装置である。
【発明の効果】
【００１５】
本発明の請求項１の構成によれば、本構成の連結部を備えない構成に比べ、電位制御板を被帯電体へ近接化できると共に被帯電体の軸方向における帯電ムラを抑制できる。
【００１６】
本発明の請求項２の構成によれば、本構成を備えない構成に比べ、被帯電体の軸方向における帯電ムラを抑制できる。
【００１７】
本発明の請求項３の構成によれば、本構成を備えない構成に比べ、被帯電体の軸方向における帯電ムラを抑制できる。
【００１９】
本発明の請求項１の構成によれば、本構成を備えない構成に比べ、電位制御板の軸方向において均一に電位制御板を湾曲させやすい。
【００２０】
本発明の請求項４の構成によれば、本構成を備えない構成に比べ、清掃部材の破損を抑制できる。
【００２１】
本発明の請求項５の構成によれば、本構成を備えない構成に比べ、電位制御板を被帯電体の周面に沿って均一に湾曲させやすい。
【００２２】
本発明の請求項６の構成によれば、本構成を備えない構成に比べ、電位制御板を被帯電体の周面に沿って均一に湾曲させやすい。
【００２３】
本発明の請求項７の構成によれば、本構成を備えない構成に比べ、電位制御板を被帯電体へ近接化できないこと及び帯電ムラによって発生する画像欠陥を抑制できる。
【００２４】
本発明の請求項８の構成によれば、本構成の連結部を備えない構成に比べ、電位制御板を被帯電体へ近接化できると共に被帯電体の軸方向における帯電ムラを抑制できる。
【図面の簡単な説明】
【００２５】
【図１】本実施形態に係る画像形成装置の構成を示す概略図である。
【図２】本実施形態に係る感光体周辺の構成を示す概略図である。
【図３】本実施形態に係る帯電装置の斜視図である。
【図４】（Ａ）、（Ｂ）本実施形態に係る帯電装置の取付部の一部を示す斜視図である。
【図５】本実施形態に係るグリッドの平面図である。
【図６】本実施形態に係るグリッドの平面図である。
【図７】（Ａ）、（Ｂ）本実施形態に係るグリッドを部分的に拡大した拡大平面図である。
【図８】（Ａ）、（Ｂ）本実施形態に係るグリッドを部分的に拡大した拡大平面図である。
【図９】第１変形例に係るグリッドを部分的に拡大した拡大平面図である。
【図１０】（Ａ）第２変形例に係るグリッドの平面図である。（Ｂ）第２変形例に係るグリッドを部分的に拡大した拡大平面図である。
【図１１】第３変形例に係るグリッドの平面図である。
【図１２】（Ａ）、（Ｂ）第３変形例に係るグリッドを部分的に拡大した拡大平面図である。
【図１３】（Ａ）第４変形例に係るグリッドの平面図である。（Ｂ）第４変形例に係るグリッドを部分的に拡大した拡大平面図である。
【図１４】（Ａ）第５変形例に係るグリッドの平面図である。（Ｂ）第５変形例に係るグリッドを部分的に拡大した拡大平面図である。
【図１５】第６変形例に係るグリッドを部分的に拡大した拡大平面図である。
【図１６】（Ａ）第７変形例に係るグリッドの平面図である。（Ｂ）第７変形例に係るグリッドを部分的に拡大した拡大平面図である。
【図１７】第８変形例に係るグリッドの平面図である。
【発明を実施するための形態】
【００２６】
以下に、本発明に係る実施形態の一例を図面に基づき説明する。
（本実施形態に係る画像形成装置の構成）
まず、本実施形態に係る画像形成装置の構成を説明する。図１は、本実施形態に係る画像形成装置の構成を示す概略図である。
【００２７】
画像形成装置１０は、記録媒体の一例としての記録用紙Ｐが収容される用紙収容部１２と、用紙収容部１２の上に設けられ用紙収容部１２から供給される記録用紙Ｐに画像形成を行う画像形成部１４と、画像形成部１４の上に設けられ読取原稿Ｇを読み取る原稿読取部１６と、画像形成部１４内に設けられ画像形成装置１０の各部の動作を制御する制御部２０と、を含んで構成されている。なお、以後の説明では、画像形成装置１０の装置本体１０Ａの上下方向を矢印Ｖ方向、水平方向を矢印Ｈ方向と記載する。
【００２８】
用紙収容部１２は、サイズの異なる記録用紙Ｐが収容される第１収容部２２、第２収容部２４、及び第３収容部２６が設けられている。第１収容部２２、第２収容部２４、及び第３収容部２６には、収容された記録用紙Ｐを画像形成装置１０内に設けられた搬送路２８に送り出す送り出しロール３２が設けられている。搬送路２８における送り出しロール３２よりも下流側には、記録用紙Ｐを一枚ずつ搬送するそれぞれ一対の搬送ロール３４及び搬送ロール３６が設けられている。また、搬送路２８における記録用紙Ｐの搬送方向で搬送ロール３６よりも下流側には、記録用紙Ｐを一端停止させるとともに、決められたタイミングで後述する二次転写位置へ送り出す位置合せロール３８が設けられている。
【００２９】
搬送路２８の上流側部分は、画像形成装置１０の正面視において、矢印Ｖ方向に向けて用紙収容部１２の左側から画像形成部１４の左側下部まで直線状に設けられている。また、搬送路２８の下流側部分は、画像形成部１４の左側下部から画像形成部１４の右側面に設けられた排紙部１５まで設けられている。さらに、搬送路２８には、記録用紙Ｐの両面に画像形成を行うために記録用紙Ｐが搬送及び反転される両面搬送路２９が接続されている。
【００３０】
両面搬送路２９は、画像形成装置１０の正面視において、搬送路２８と両面搬送路２９の切り替えが行われる第１切替部材３１と、画像形成部１４の右側下部から用紙収容部１２の右側まで矢印Ｖ方向に直線状に設けられた反転部３３と、反転部３３に搬送された記録用紙Ｐの後端が進入するとともに矢印Ｈ方向に搬送される搬送部３７と、反転部３３と搬送部３７の切り替えが行われる第２切替部材３５と、を有している。そして、反転部３３には一対の搬送ロール４２が間隔をあけて複数箇所に設けられており、搬送部３７には一対の搬送ロール４４が間隔をあけて複数箇所に設けられている。
【００３１】
第１切替部材３１は三角柱状の部材であり、図示しない駆動手段によって先端部が搬送路２８又は両面搬送路２９のいずれか一方に移動されることで、記録用紙Ｐの搬送方向を切り替えるようになっている。同様に、第２切替部材３５は三角柱状の部材であり、図示しない駆動手段によって先端部が反転部３３又は搬送部３７のいずれか一方に移動されることで、記録用紙Ｐの搬送方向を切り替えるようになっている。なお、搬送部３７の下流側端部は、搬送路２８の上流側部分にある搬送ロール３６の手前側に図示しない案内部材により接続されている。また、画像形成部１４の左側面には、折り畳み式の手差給紙部４６が設けられており、手差給紙部４６から搬送路２８の位置合せロール３８へ記録用紙Ｐを搬送可能とされている。
【００３２】
原稿読取部１６は、読取原稿Ｇを１枚ずつ搬送する原稿搬送装置５２と、原稿搬送装置５２の下側に配置され読取原稿Ｇが載せられるプラテンガラス５４と、原稿搬送装置５２によって搬送された読取原稿Ｇ又はプラテンガラス５４に載せられた読取原稿Ｇを読み取る原稿読取装置５６とが設けられている。原稿搬送装置５２は、一対の搬送ロール５３が複数配置された搬送路５５を有しており、搬送路５５の一部は記録用紙Ｐがプラテンガラス５４上を通るように配置されている。また、原稿読取装置５６は、プラテンガラス５４の左端部に静止した状態で原稿搬送装置５２によって搬送された読取原稿Ｇを読み取り、又は矢印Ｈ方向に移動しながらプラテンガラス５４に載せられた読取原稿Ｇを読み取るようになっている。
【００３３】
一方、画像形成部１４には、円筒又は円柱状の被帯電体の一例として、円筒又は円柱状の感光体６２が、装置本体１０Ａの中央部に設けられている。感光体６２は、図示しない駆動手段によって矢印＋Ｒ方向（図１における時計回り方向）に回転すると共に光照射によって形成される静電潜像を保持するようになっている。また、感光体６２の上方で且つ感光体６２の外周面と対向する位置には、感光体６２の表面を帯電するスコロトロン方式の帯電装置１００が設けられている。帯電装置１００の具体的な構成については、後述する。なお、感光体６２は、耐摩耗性は高いが帯電装置１００で発生する放電生成物によって画像劣化を生じやすいオーバーコート層を有している。
【００３４】
感光体６２の回転方向における帯電装置１００よりも下流側で且つ感光体６２の外周面と対向する位置には、露光装置６６が設けられている。露光装置６６は、帯電装置１００により帯電した感光体６２の外周面に各トナー色に対応した画像信号に基づき、光を照射（露光）して静電潜像を形成するようになっている。
【００３５】
感光体６２の回転方向で露光装置６６の露光光が照射される部位よりも下流側には、感光体６２の外周面に形成された静電潜像を決められた色のトナーで現像して可視化させる回転切り替え式の現像装置７０が設けられている。
【００３６】
図２に示すように、現像装置７０は、イエロー（Ｙ）、マゼンタ（Ｍ）、シアン（Ｃ）、黒（Ｋ）、第１特別色（Ｅ）、第２特別色（Ｆ）の各トナー色にそれぞれ対応する現像器７２Ｙ、７２Ｍ、７２Ｃ、７２Ｋ、７２Ｅ、７２Ｆが、周方向に（反時計回り方向にこの順番で）並んで配置されており、回転手段であるモータ（図示省略）によって中心角で６０°ずつ回転することで、現像処理を行う現像器７２Ｙ、７２Ｍ、７２Ｃ、７２Ｋ、７２Ｅ、７２Ｆが切り替えられ、感光体６２の外周面と対向するようになっている。この感光体６２の外周面と対向する位置が、現像処理を行う現像位置となる。なお、現像器７２Ｙ、７２Ｍ、７２Ｃ、７２Ｋ、７２Ｅ、７２Ｆは同様の構成となっているため、ここでは現像器７２Ｙについて説明し、他の現像器７２Ｍ、７２Ｃ、７２Ｋ、７２Ｅ、７２Ｆについては説明を省略する。
【００３７】
現像器７２Ｙは、その内部にトナーカートリッジ７８Ｙ（図１参照）からトナー供給路（図示省略）を経由して供給されるトナー及びキャリアから成る現像剤（図示省略）が充填されている。現像器７２Ｙは、外周面が感光体６２の外周面と対向する現像ロール７４を備えている。
【００３８】
現像ロール７４は、現像スリーブ７４Ａの外周面の現像剤層を、感光体６２に対向する位置に搬送し、感光体６２の外周面に形成された潜像（静電潜像）にトナーを付着させて現像を行う。
【００３９】
なお、各現像器７２Ｙ、７２Ｍ、７２Ｃ、７２Ｋ、７２Ｅ、７２Ｆに設けられた６本の現像ロール７４は、隣の現像ロール７４との間隔が中心角６０°となるように周方向に配置されており、現像器７２の切り替えにより、次の現像ロール７４が感光体６２の外周面と対向するようになっている。
【００４０】
感光体６２の回転方向で現像装置７０よりも下流側であり且つ感光体６２の下側には、感光体６２の外周面に形成されたトナー画像が転写される中間転写ベルト６８が設けられている。中間転写ベルト６８は、無端状であり、制御部２０により回転駆動される駆動ロール６１、中間転写ベルト６８に張力を付与するための張力付与ロール６３、中間転写ベルト６８の裏面に接触して従動回転する複数の搬送ロール６５、及び後述する二次転写位置において中間転写ベルト６８の裏面に接触して従動回転する補助ロール６９に巻き掛けられている。そして、中間転写ベルト６８は、駆動ロール６１が回転することにより、矢印−Ｒ方向（図２における反時計回り方向）に周回移動するようになっている。
【００４１】
また、中間転写ベルト６８を挟んで感光体６２の反対側には、感光体６２の外周面に形成されたトナー画像を中間転写ベルト６８に一次転写させる一次転写ロール６７が設けられている。一次転写ロール６７は、感光体６２と中間転写ベルト６８とが接触する位置から中間転写ベルト６８の移動方向下流側に離れた位置で、中間転写ベルト６８の裏面に接触している。そして、一次転写ロール６７は、図示しない電源から通電されることにより、接地されている感光体６２との電位差で感光体６２のトナー画像を中間転写ベルト６８に一次転写するようになっている。
【００４２】
さらに、中間転写ベルト６８を挟んで補助ロール６９の反対側には、中間転写ベルト６８上に一次転写されたトナー画像を記録用紙Ｐに二次転写させる転写手段の一例としての二次転写ロール７１が設けられており、二次転写ロール７１と補助ロール６９との間が記録用紙Ｐへトナー画像を転写する二次転写位置とされている。二次転写ロール７１は、中間転写ベルト６８の表面に接触している。そして、二次転写ロール７１は、図示しない電源から通電されることにより、接地されている補助ロール６９との電位差で中間転写ベルト６８のトナー画像を記録用紙Ｐに二次転写するようになっている。
【００４３】
また、中間転写ベルト６８を挟んで駆動ロール６１の反対側には、中間転写ベルト６８の二次転写後の残留トナーを回収する現像剤回収装置の一例としてのクリーニング装置６０が設けられている。クリーニング装置６０では、クリーニングブレード６４が中間転写ベルト６８に接触してトナーを掻き取るようになっている。このクリーニング装置６０のクリーニングブレード６４及び二次転写ロール７１は、各色のトナー画像が中間転写ベルト６８に多重（一次）転写され且つ記録用紙Ｐ上に二次転写されるまで、中間転写ベルト６８の外周面から離れるようになっている。
【００４４】
さらに、中間転写ベルト６８の周囲で張力付与ロール６３と対向する位置には、中間転写ベルト６８の表面に付されたマーク（図示省略）を検知することで中間転写ベルト６８上の予め定めた基準位置を検出し、画像形成処理の開始タイミングの基準となる位置検出信号を出力する位置検出センサ８３が設けられている。
【００４５】
感光体６２の回転方向で一次転写ロール６７よりも下流側には、中間転写ベルト６８に一次転写されずに感光体６２の表面に残留した残留トナー等を清掃するクリーニング装置７３が設けられている。クリーニング装置７３は、感光体６２表面に接触するクリーニングブレード及びブラシロールにより残留トナー等を回収する構成となっている。また、感光体６２の回転方向でクリーニング装置７３の上流側（一次転写ロール６７よりも下流側）には、感光体６２の外周面に放電により一次転写ロールの帯電履歴を除電する除電装置８１が設けられている。除電装置８１は、クリーニング装置７３による残留トナー等の回収前に感光体６２の外周面にマイナス放電を行い、一次転写ロールによるプラス帯電の履歴を除去し、次の画像形成に影響を与えないようにするためのものである。また、クリーニング装置７３の下流側で且つ帯電装置１００の上流側に、感光体６２の外周面に光を照射してマイナス帯電の履歴をキャンセルする除電手段７５を設けられている。
【００４６】
図１に示すように、二次転写ロール７１によるトナー画像の二次転写位置は、前述の搬送路２８の途中に設定されており、搬送路２８における記録用紙Ｐの搬送方向（矢印Ａで図示）で二次転写ロール７１よりも下流側には、二次転写ロール７１によってトナー画像が転写された記録用紙Ｐにトナー画像を定着させる定着装置８０が設けられている。定着装置８０は、記録用紙Ｐのトナー画像面側（上側）に配置され、通電により発熱する熱源を有する加熱ロール８２と、加熱ロール８２の下側に配置され記録用紙Ｐを加熱ロール８２の外周面に向けて加圧する加圧ロール８４とで構成されている。なお、搬送路２８における記録用紙Ｐの搬送方向で定着装置８０よりも下流側には、排紙部１５又は反転部３３へ向けて記録用紙Ｐを搬送する搬送ロール３９が設けられている。
【００４７】
一方、原稿読取装置５６の下側で現像装置７０よりも上側には、イエロー（Ｙ）、マゼンタ（Ｍ）、シアン（Ｃ）、黒（Ｋ）、第１特別色（Ｅ）、第２特別色（Ｆ）の各トナーを収容するトナーカートリッジ７８Ｙ、７８Ｍ、７８Ｃ、７８Ｋ、７８Ｅ、７８Ｆが水平方向に並んで交換可能に設けられている。第１特別色Ｅ及び第２特別色Ｆは、イエロー、マゼンタ、シアン、ブラック以外の特別色（透明を含む）から選択され、または、選択されないようになっている。そして、現像装置７０では、第１特別色Ｅ及び第２特別色Ｆが選択された場合はＹ、Ｍ、Ｃ、Ｋ、Ｅ、Ｆの６色での画像形成を行い、第１特別色Ｅ及び第２特別色Ｆが選択されない場合はＹ、Ｍ、Ｃ、Ｋの４色での画像形成を行うようになっている。なお、本実施形態では、一例として、Ｙ、Ｍ、Ｃ、Ｋ、Ｅ、Ｆの６色で画像形成を行う場合について説明するが、他の例として、Ｙ、Ｍ、Ｃ、Ｋの４色と第１特別色Ｅ又は第２特別色Ｆを用いて５色で画像形成を行ってもよい。
【００４８】
（帯電装置１００の構成）
次に、帯電装置１００の構成について説明する。
【００４９】
帯電装置１００は、図２に示すように、感光体６２側が開口した筐体の一例として、アルミニウム製のシールドケース１０２を備えている。シールドケース１０２は、感光体６２の軸方向に沿って延びる細長い箱状とされている（図３参照）。シールドケース１０２内には、図２に示すように、シールドケース１０２内を幅方向（感光体６２の周方向）中央部で仕切っている仕切板１０４が設けられている。
【００５０】
シールドケース１０２内には、感光体６２の軸方向に沿って延びる放電電極の一例としての放電ワイヤ１０６・１０８が、仕切板１０４を挟んだ両側に設けられている。放電ワイヤ１０６・１０８は、タングステン等の金属線で構成されている。なお、放電電極としては、樹脂が被覆されたワイヤや板状の金属板等で構成された放電部材であってもよく、放電がなされるものであればよい。
【００５１】
放電ワイヤ１０６・１０８は、電源（図示省略）から電圧が印加されることで、マイナス電荷を発生させると共に感光体６２の表面へこのマイナス電荷を供給する放電動作を行うようになっている。この放電動作により、感光体６２が帯電するようになっている。
【００５２】
シールドケース１０２の開口側であって、かつ、放電ワイヤ１０６・１０８と感光体６２との間には、電位制御板の一例としてのグリッド１１０が感光体６２の軸方向に沿って配置されている。
【００５３】
また、グリッド１１０は、感光体６２の軸方向に長さを有している。すなわち、グリッド１１０の長手方向が感光体６２の軸方向に沿っており、グリッド１１０の短手方向が感光体６２の周方向に沿っている。また、グリッド１１０は、複数の開口１１９が形成された金属板で構成されている（図７等参照）。なお、開口１１９は、後述の構造線１２７〜１３０の間に形成されたスリット１２８が後述の梁１４０で仕切られた空間によって複数形成されている。
【００５４】
このグリッド１１０では、放電ワイヤ１０６・１０８で発生したマイナス電荷が、グリッド１１０の開口１１９を通過して感光体６２に供給されるようになっており、制御部（図示省略）によって制御されるグリッド電圧により、グリッド１１０を通過するマイナス電荷の通過量が制御される。これにより、感光体６２の帯電電位が制御される。
【００５５】
具体的には、感光体６２の電位に対してグリッド１１０の電圧（電位）が高い場合には、その電位差によりマイナス電荷が感光体６２へ向かうのでマイナス電荷の通過量が多く、感光体６２にマイナス電荷が供給されることで、感光体６２とグリッド１１０との電位差が小さくなると、マイナス電荷の通過量が減少するようになっている。従って、グリッド１１０のグリッド電圧を高く設定することで、グリッド電圧を低く設定した場合よりも、マイナス電荷の通過量が増加し、感光体６２の帯電電位が高くなる。
【００５６】
帯電装置１００は、図３に示すように、放電ワイヤ１０６・１０８及びグリッド１１０に対して接触しながら感光体６２の軸方向に沿って移動して、放電ワイヤ１０６・１０８及びグリッド１１０を清掃する清掃部材１２６を備えている。清掃部材１２６は、グリッド１１０をその厚み方向両側から挟みこんでいる。清掃部材１２６としては、例えば、スポンジ等の多孔質材やブラシ状に形成された清掃ブラシが用いられる。
【００５７】
（グリッド１１０の取付構造）
図３に示すように、帯電装置１００は、シールドケース１０２の長手方向両端部に設けられた湾曲規制部材の一例としての取付部材１１２、１１４を備えている。取付部材１１２、１１４は、グリッド１１０を取付ける（保持する）ための部材であり、取付部材１１２が、シールドケース１０２の長手方向一端側（図３における左下側）に配置され、取付部材１１４がシールドケース１０２の長手方向他端側（図３における右上側）に配置されている。なお、図中の矢印Ｄ方向は、グリッド１１０の長手方向を示し、矢印Ｓ方向は、グリッド１１０の短手方向を示し、矢印Ｔ方向は、グリッド１１０の厚み方向を示している。矢印Ｄ、Ｓ、Ｔ方向は、それぞれ直交している。
【００５８】
図５に示すように、グリッド１１０は、無負荷状態で感光体６２（図２参照）の軸方向（矢印Ｄ方向）を長手方向とする板状（平面視で矩形状、側面視で板状）に形成されており、負荷が作用することにより弾性変形して湾曲するようになっている。また、グリッド１１０は、その長手方向に沿って、幅Ｗ１の取付部１０４Ａ、幅Ｗ２の電極部１０４Ｂ、及び幅Ｗ３の取付部１０４Ｃが一体となった構成となっている。
【００５９】
さらに、グリッド１１０は、その長手方向両端部において長手方向に沿って張架され、図示しない給電手段から電圧が印加されるようになっている。なお、板状に形成された部材とは、平板状に形成された部材だけでなく、矢印Ｄ方向に見て軽く湾曲した状態に形成された部材を含む表現である。
【００６０】
取付部１０４Ａには、グリッド１１０の厚み方向に貫通した貫通孔である取付孔１１６Ａ、１１６Ｂが形成されている。取付孔１１６Ａ、１１６Ｂは、グリッド１１０の短手方向方向（矢印Ｓ方向）に間隔をあけて配置され、それぞれ矩形状に形成されている。
【００６１】
さらに、取付部１０４Ｃは、グリッド１１０の長手方向外側に突出した取付部１１８が形成されている。取付部１１８は、平面視でハ字状に形成された２つの支持部１１８Ａと、平面視でコ字状であり２つの支持部１１８Ａの一端（図５における右端）に一体で形成された被引掛部１１８Ｂとで構成されている。そして、支持部１１８Ａの他端（図５における左端）は、グリッド１１０の他端面１０４Ｄ（図５における右端面）における矢印Ｓ方向の中央部に一体で形成されている。
【００６２】
図４（Ａ）に示すように、取付部材１１２は、グリッド１１０と放電ワイヤ１０６・１０８（図２参照）との間に配置され且つ感光体６２（図２参照）の外周面に沿った湾曲面１１２Ａと、湾曲面１１２Ａの矢印Ｓ方向の両端部から矢印Ｔ方向へ直立した側面１１２Ｃとを有している。
【００６３】
湾曲面１１２Ａには、感光体６２側（図４（Ａ）における上方）へ突出すると共に感光体６２の軸方向外側（図４（Ａ）における左斜め上側）へ屈曲された２つのＬ字状の引掛部１１２Ｂが形成されている。２つの引掛部１１２Ｂは、取付孔１１６Ａ、１１６Ｂに挿入可能な大きさとなっている。引掛部１１２Ｂは、板ばねで構成されており、グリッド１１０を感光体６２の軸方向外側（図４（Ａ）における左斜め上側）へ引っ張っている。すなわち、引掛部１１２Ｂは、グリッド１１０に対して感光体６２の軸方向へ張力を与える張力付与部材として機能する。
【００６４】
また、取付部材１１２の両側面１１２Ｃ（片側のみ図示）には、後述する板ばね１２２を固定するための凸部１１２Ｄが突出している。そして、グリッド１１０の取付孔１１６Ａ、１１６Ｂの縁に引掛部１１２Ｂ、１１２Ｃが引っ掛けられることにより、グリッド１１０の一端部が位置決めされている。さらに、グリッド１１０の一端部は、湾曲維持部材の一例としての板ばね１２２の付勢力により、感光体６２の外周面に沿った湾曲状態で保持されている。
【００６５】
板ばね１２２は、矢印Ｓ方向を長手方向として矢印Ｔ方向（図４（Ａ）における下方）に凸状に湾曲した湾曲部１２２Ａと、湾曲部１２２Ａの矢印Ｓ方向の両端部から矢印Ｔ方向に直立した取付部１２２Ｂとが一体成形されたものであり、取付部１２２Ｂには、凸部１１２Ｄに掛け止めされる止め孔１２２Ｃが形成されている。また、湾曲部１２２Ａの凸側の表面が、グリッド１１０と接触する接触面１２２Ｄとなっている。
【００６６】
一方、取付部材１１４は、図４（Ｂ）に示すように、グリッド１１０と放電ワイヤ１０６・１０８（図２参照）との間に配置され且つ感光体６２（図２参照）の外周面に沿った湾曲面１１４Ａと、湾曲面１１４Ａの矢印Ｓ方向の両端部から矢印Ｔ方向へ直立した側面１１４Ｂと、矢印Ｄ方向の他端で湾曲面１１４Ａよりも低い位置となるように段差がつけられた取付面１１４Ｃとを含んで構成されている。
【００６７】
取付面１１４Ｃには、感光体６２側（図４（Ｂ）における上方）へ突出すると共に感光体６２の軸方向外側（図４（Ｂ）における左斜め上側）へ屈曲されたＬ字状の引掛部１１４Ｄが形成されている。引掛部１１４Ｄは、取付面１１４Ｃの矢印Ｓ方向における中央に形成されており、グリッド１１０の被引掛部１１８Ｂが引っ掛けられる大きさとなっている。引掛部１１４Ｄは、板ばねで構成されており、グリッド１１０を感光体６２の軸方向外側（図４（Ｂ）における右斜め下側）へ引っ張っている。すなわち、引掛部１１４Ｄは、グリッド１１０に対して感光体６２の軸方向へ張力を与える張力付与部材として機能する。
【００６８】
また、取付部材１１４の両側面１１４Ｂ（片側のみ図示）には、後述する板ばね１２４を固定するための凸部１１４Ｅが突出している。そして、グリッド１１０の被引掛部１１８Ｂが引掛部１１４Ｄに引っ掛けられることにより、グリッド１１０の他端部が位置決めされている。さらに、グリッド１１０の他端部は、湾曲維持部材の一例としての板ばね１２４の付勢力により、感光体６２の外周面に沿った湾曲状態で保持されている。
【００６９】
板ばね１２４は、矢印Ｓ方向を長手方向として矢印Ｔ方向（図４（Ｂ）における下方）に凸状に湾曲した湾曲部１２４Ａと、湾曲部１２４Ａの矢印Ｓ方向の両端部から矢印Ｔ方向に直立した取付部１２４Ｂとが一体成形されたものであり、取付部１２４Ｂには、凸部１１４Ｅが掛け止めされる止め孔１２４Ｃが形成されている。また、湾曲部１２４Ａの凸側の表面が、グリッド１１０と接触する接触面１２４Ｄとなっている。
【００７０】
なお、取付部材１２２、１２４にそれぞれ形成された凸部である突当部（図示省略）が、感光体６２（図２参照）の両端部に設けられるホルダー（図示省略）の上端に接触することで、感光体６２とグリッド１１０との間隔が保持されている。
【００７１】
また、引掛部１１２Ｂ及び引掛部１１４Ｄが、グリッド１１０を放電ワイヤ１０６・１０８側（図４（Ａ）（Ｂ）において下側）に引っ張り、グリッド１１０を湾曲面１１２Ａ及び湾曲面１１４Ａに付勢してグリッド１１０を湾曲させる構成においては、湾曲維持部材の一例としての板ばね１２２・１２４を有さない構成であっても良い。
【００７２】
（グリッド１１０の電極部１０４Ｂの具体的な構成）
次に、グリッド１１０の電極部１０４Ｂの具体的な構成について説明する。図６〜８は、グリッド１１０の電極部１０４Ｂの具体的な構成を示す図である。なお、図３〜５では、後述の細線１３０を省略して図示している。
【００７３】
グリッド１１０の電極部１０４Ｂは、図６及び図７（Ａ）に示すように、感光体６２の周方向（図中の矢印Ｓ方向）へ配列され、感光体６２の軸方向（図中の矢印Ｄ方向）に沿って直線状に延びる複数（少なくとも３本以上）の細線１３０を備えている。グリッド１１０の短手方向（図中の矢印Ｓ方向）両端には、全ての細線１３０を挟むように、感光体６２の軸方向に沿って直線状に延びる線状部１２７・１２９が設けられている。本実施形態では、この線状部１２７・１２９及び細線１３０によって、感光体６２の軸方向に沿って直線状に延びる構造線が構成される。以下、適宜、線状部１２７・１２９及び細線１３０をまとめて構造線１２７〜１３０と記す。
【００７４】
線状部１２７・１２９及び複数の細線１３０は、一端が取付部１０４Ａに固定され、他端が取付部１０４Ｃに固定されている。これにより、細線１３０は、その周囲を、線状部１２７・１２９及び取付部１０４Ａ・１０４Ｃによって枠状に囲まれる構成となっている。
【００７５】
また、グリッド１１０の電極部１０４Ｂは、図７（Ａ）に示すように、複数の構造線１２７〜１３０のうち、感光体６２の周方向（図中の矢印Ｓ方向）へ連続する一部を連結する複数の連結部の一例としての複数の梁１４０を備えている。具体的には、各梁１４０は、複数の構造線１２７〜１３０のうち感光体６２の周方向へ隣り合う２本の構造線１２７〜１３０のみを連結している。
【００７６】
また、複数の梁１４０は、感光体６２の軸方向（図中の矢印Ｄ方向）へ配置されている。なお、本実施形態における感光体６２の軸方向への配置とは、一の梁１４０と他の梁１４０とを見た場合に、感光体６２の軸方向に沿った位置が異なるように配置されている場合をいう。従って、感光体６２の軸方向への配置には、感光体６２の周方向へずれながら感光体６２の軸方向へ配置される場合も含まれる。
【００７７】
本実施形態では、線状部１２７から線状部１２９にかけて感光体６２の軸方向へ連続して配置された複数の梁１４０を有する梁群１５０が複数設けられて、電極部１０４Ｂにおける梁１４０全体が構成されている。この梁群１５０は、図６に示すように、各２つの梁群１５０Ａ・１５０Ｂ・１５０Ｃ・１５０Ｄの計８つで構成されており、感光体６２の軸方向に沿って、梁群１５０Ａ・１５０Ｂ・１５０Ｃ・１５０Ｄ・１５０Ａ・１５０Ｂ・１５０Ｃ・１５０Ｄの順で配置されている。各梁群１５０Ａ・１５０Ｂ・１５０Ｃ・１５０Ｄは、例えば、１０本の梁１４０で構成されている。なお、図６では、各梁群１５０Ａ・１５０Ｂ・１５０Ｃ・１５０Ｄを簡略化して示している。
【００７８】
各梁群１５０Ａ・１５０Ｂ・１５０Ｃ・１５０Ｄでは、複数の梁１４０が、感光体６２の周方向に沿って同じピッチで配置されている。すなわち、複数の梁１４０は、スリット１２８を同じ数（細線１３０を同じ数）飛ばして配置されている。本実施形態では、スリットを３つ、細線１３０を２本飛ばして配置されている。
【００７９】
詳細には、２つの梁群１５０Ａでは、それぞれ、図７（Ａ）における下側から見て１つ目の梁１４０Ａが、図７（Ａ）における下側から見て１本目と２本目の細線１３０を連結し、さらに、２つ目の梁１４０Ｂが、スリット１２８を３つ飛ばした位置で５本目と６本目の細線１３０を連結し、さらに、３つ目の梁１４０Ｃが、スリット１２８を３つ飛ばした位置で９本目と１０本目の細線１３０を連結し、以下同様に、梁１４０は、スリット１２８を３つ飛ばした位置で２本の細線１３０を連結している。なお、図７（Ａ）には、取付部１０４Ｃ側に配置された梁群１５０Ａが図示されている。
【００８０】
２つの梁群１５０Ｂでは、それぞれ、図７（Ｂ）における下側から見て１つ目の梁１４０Ｄが、図７（Ｂ）における下側から見て２本目と３本目の細線１３０を連結し、さらに、２つ目の梁１４０Ｅが、スリット１２８を３つ飛ばした位置で６本目と７本目の細線１３０を連結し、さらに、３つ目の梁１４０Ｆが、スリット１２８を３つ飛ばした位置で１０本目と１１本目の細線１３０を連結し、以下同様に、梁１４０は、スリット１２８を３つ飛ばした位置で２本の細線１３０を連結している。
【００８１】
２つの梁群１５０Ｃでは、それぞれ、図８（Ａ）における下側から見て１つ目の梁１４０Ｇが、図８（Ａ）における下側から見て３本目と４本目の細線１３０を連結し、さらに、２つ目の梁１４０Ｈが、スリット１２８を３つ飛ばした位置で７本目と８本目の細線１３０を連結し、さらに、３つ目の梁１４０Ｉが、スリット１２８を３つ飛ばした位置で１１本目と１２本目の細線１３０を連結し、以下同様に、梁１４０は、スリット１２８を３つ飛ばした位置で２本の細線１３０を連結している。
【００８２】
２つの梁群１５０Ｄでは、それぞれ、図８（Ｂ）における下側から見て１つ目の梁１４０Ｊが、線状部１２７と図８（Ｂ）における下側から見て１本目の細線１３０とを連結し、さらに、２つ目の梁１４０Ｋが、スリット１２８を３つ飛ばした位置で４本目と５本目の細線１３０を連結し、さらに、３つ目の梁１４０Ｌが、スリット１２８を３つ飛ばした位置で８本目と９本目の細線１３０を連結し、以下同様に、梁１４０は、スリット１２８を３つ飛ばした位置で２本の細線１３０を連結している。
【００８３】
このように、各梁群１５０Ａ・１５０Ｂ・１５０Ｃ・１５０Ｄにおいて、感光体６２の軸方向へ隣り合う梁１４０は、スリット１２８を３つ飛ばした位置に配置されている。すなわち、各梁群１５０Ａ・１５０Ｂ・１５０Ｃ・１５０Ｄにおいて、感光体６２の軸方向へ隣り合う梁１４０は、全部が異なる２本の細線１３０を連結している。なお、感光体６２の軸方向へ隣り合う梁１４０とは、梁群１５０Ａでは、例えば、梁１４０Ａ・１４０Ｂや、梁１４０Ｂ・１４０Ｃが該当する。
【００８４】
梁群１５０Ａと梁群１５０Ｂとのつなぎ目において、梁群１５０Ａの終端（図７（Ａ）における左端）にある梁１４０Ｍと、梁群１５０Ｂの始端（図７（Ｂ）における右端）にある梁１４０Ｄとは、スリット１２８を１つ以上（具体的には、３２つ）飛ばした位置に形成されており、全部が異なる２本の細線１３０を連結している。梁群１５０Ｂと梁群１５０Ｃとのつなぎ目、梁群１５０Ｃと梁群１５０Ｄとのつなぎ目、梁群１５０Ｄと梁群１５０Ａとのつなぎ目においても同様とされている。
【００８５】
前述のように梁１４０を配置することにより、細線１３０は１本で独立して存在せず、いずれかの梁１４０によって隣り合う細線１３０と接続されている。本実施形態では、細線１３０間のスリット１２８の全部に、それぞれ、２本の梁１４０が存在し、隣り合う細線１３０は２カ所で梁１４０によって接続されている。
【００８６】
各梁群１５０Ａ・１５０Ｂ・１５０Ｃ・１５０Ｄにおける各梁１４０の感光体６２の軸方向に沿った間隔は、同一間隔で一定とされている。また、梁群１５０Ａと梁群１５０Ｂとのつなぎ目において、梁群１５０Ａの終端（図７（Ａ）における左端）にある梁１４０Ｍと、梁群１５０Ｂの始端（図７（Ｂ）における右端）にある梁１４０Ｄとの間隔も、各梁群１５０Ａ・１５０Ｂ・１５０Ｃ・１５０Ｄにおける各梁１４０の間隔と同一とされている。梁群１５０Ｂと梁群１５０Ｃとのつなぎ目、梁群１５０Ｃと梁群１５０Ｄとのつなぎ目、梁群１５０Ｄと梁群１５０Ａとのつなぎ目においても同様とされている。
【００８７】
また、梁１４０は、細線１３０に対して６０度の角度を有している。本実施形態の構成では、梁１４０の細線１３０に対する角度２０度以上が、清掃部材１２６が細線１３０と梁１４０との間に引っ掛からない角度となっている。なお、清掃部材１２６が細線１３０と梁１４０との間に引っ掛からない角度は、予め定められた複数回、清掃部材１２６をグリッド１１０の長手方向に実際に移動させた際に、清掃部材１２６の引っ掛かりが生じたか否かを目視で確認することで求められる。また、引っ掛かりを防止するため、梁１４０と細線１３０が交わる部分に曲率を設けることも効果的である。
【００８８】
（本実施形態に係る作用）
次に、本実施形態に係る作用を説明する。
【００８９】
本実施形態に係る構成によれば、梁１４０を有せず細線１３０のみの構成に比べ、グリッド１１０の強度が向上する。これにより、製造時においては、エッチングする場合における型離れがよく、歩留まりが向上する。また、取付時においては、細線１３０が絡みにくく、グリッド１１０の取り扱いが向上する。また、シールドケース１０２への取り付け状態においては、感光体６２との電界によって発生するグリッド１１０の振動が低減され、グリッド１１０の感光体６２への接触によるリークが抑制される。
【００９０】
また、本実施形態に係る構成によれば、梁１４０を有させず細線１３０のみの構成に比べ、各細線１３０の間隔（スリット１２８の感光体６２の周方向に沿った開口幅）のばらつきが、感光体６２の軸方向において抑制される。これにより、感光体６２の軸方向における帯電ムラが抑制される。
【００９１】
また、本実施形態に係る構成によれば、梁１４０が感光体６２の軸方向へ分散されて設けられると共に、感光体６２の周方向へ分散されて設けられている。このため、放電ワイヤ１０６・１０８から感光体６２への電荷を梁１４０が遮ることによって生じる感光体６２の軸方向における帯電ムラが抑制される。
【００９２】
また、本実施形態に係る構成によれば、梁１４０の細線１３０に対する角度が、清掃部材１２６が細線１３０と梁１４０との間に引っ掛からない角度（具体的には２０度）以上である６０度とされている。これにより、清掃部材１２６でグリッド１１０を清掃しても清掃部材１２６が細線１３０と梁１４０との間に引っ掛かからず、清掃部材１２６の破損が抑制される。
【００９３】
なお、梁１４０を細線１３０間に配置する配置構成は、前述の構成に限られず、以下に示す構成であってもよい。以下の説明では、グリッド１１０と同一部分については、同一符号を付して、適宜、説明を省略する。
【００９４】
（グリッド１１０の第１変形例）
グリッド１１０では、梁１４０は、細線１３０に対して６０度の角度を有していたが、第１変形例に係るグリッド１６０では、図９に示すように、梁１４０は、細線１３０に対して９０度の角度を有している。グリッド１６０は、その他の構成については、グリッド１１０と同一である。
【００９５】
第１変形例に係る構成によれば、梁１４０の細線１３０に対する角度が、清掃部材１２６が細線１３０と梁１４０との間に引っ掛からない角度（具体的には２０度）以上である９０度とされている。これにより、清掃部材１２６でグリッド１６０を清掃しても清掃部材１２６が細線１３０と梁１４０との間に引っ掛かからず、清掃部材１２６の破損が抑制される。
【００９６】
また、第１変形例に係る構成によれば、グリッド１６０を感光体６２の周方向（図中の矢印Ｓ方向）に沿って弾性変形させた状態において、梁１４０が感光体６２の周方向に沿うことになる。これにより、感光体６２の周方向に対する斜め方向へグリッド１６０を変形させようとする力が低減される。
【００９７】
（グリッド１１０の第２変形例）
グリッド１１０では、各２つの梁群１５０Ａ・１５０Ｂ・１５０Ｃ・１５０Ｄの計８つで、梁群１５０が構成されていたのに対して、第２変形例に係るグリッド２１０では、図１０に示すように、各１つの梁群１５０Ａ・１５０Ｂ・１５０Ｃ・１５０Ｄの計４つで、梁群１５０が構成されている。梁群１５０Ａ・１５０Ｂ・１５０Ｃ・１５０Ｄは、感光体６２の軸方向（図中の矢印Ｄ方向）に沿って、この順で配置されている。
なお、図１０では、各梁群１５０Ａ・１５０Ｂ・１５０Ｃ・１５０Ｄを簡略化して示している。
【００９８】
梁群１５０Ａ・１５０Ｂ・１５０Ｃ・１５０Ｄは、それぞれ、各梁１４０の感光体６２の軸方向への間隔が、グリッド１１０の各梁群１５０Ａ・１５０Ｂ・１５０Ｃ・１５０Ｄにおける間隔よりも広がっている点以外は、同一構成とされている。すなわち、グリッド２１０における梁群１５０Ａ・１５０Ｂ・１５０Ｃ・１５０Ｄと、グリッド１１０における梁群１５０Ａ・１５０Ｂ・１５０Ｃ・１５０Ｄとで、梁１４０は、同じ細線１３０を連結している。
【００９９】
従って、第２変形例に係るグリッド２１０では、細線１３０間のスリット１２８の全部に、それぞれ、１本の梁１４０が存在し、隣り合う細線１３０は１カ所で梁１４０によって接続されている。このように、第２変形例に係る構成によれば、グリッド１１０に比べ、梁１４０は、総数が少なく、感光体６２の軸方向へ分散されて設けられている。
【０１００】
（グリッド１１０の第３変形例）
グリッド１１０では、各２つの梁群１５０Ａ・１５０Ｂ・１５０Ｃ・１５０Ｄの計８つで、梁群１５０が構成されていたのに対して、第３変形例に係るグリッド３１０では、図１１に示すように、各４つの梁群３５０Ａ・３５０Ｂの計８つで、梁群３５０が構成されている。梁群３５０Ａ・３５０Ｂは、感光体６２の軸方向（図中の矢印Ｄ方向）に沿って、この順で交互に配置されている。なお、図１１では、各梁群３５０Ａ・３５０Ｂを簡略化して示している。
【０１０１】
グリッド１１０における各梁群１５０Ａ・１５０Ｂ・１５０Ｃ・１５０Ｄでは、各梁１４０が、スリット１２８を３つ飛ばした位置に連続して形成されていたのに対して、グリッド３１０における各４つの梁群３５０Ａ・３５０Ｂでは、各梁１４０が、スリット１２８を１つ飛ばした位置に連続して形成されている。
【０１０２】
具体的には、４つの梁群３５０Ａでは、それぞれ、図１２（Ａ）における下側から見て１つ目の梁１４０Ａが、線状部１２７と図１２（Ａ）における下側から見て１本目の細線１３０とを連結し、さらに、２つ目の梁１４０Ｂが、スリット１２８を１つ飛ばした位置で２本目と３本目の細線１３０を連結し、さらに、３つ目の梁１４０Ｃが、スリット１２８を１つ飛ばした位置で４本目と５本目の細線１３０を連結し、以下同様に、梁１４０は、スリット１２８を１つ飛ばした位置で２本の細線１３０を連結している。なお、図１２（Ａ）には、取付部１０４Ｃ側に配置された梁群３５０Ａが図示されている。
【０１０３】
４つの梁群３５０Ｂでは、それぞれ、図１２（Ｂ）における下側から見て１つ目の梁１４０Ｄが、図１２（Ｂ）における下側から見て１本目と２本目の細線１３０とを連結し、さらに、２つ目の梁１４０Ｅが、スリット１２８を１つ飛ばした位置で３本目と４本目の細線１３０を連結し、さらに、３つ目の梁１４０Ｆが、スリット１２８を１つ飛ばした位置で５本目と６本目の細線１３０を連結し、以下同様に、梁１４０は、スリット１２８を１つ飛ばした位置で２本の細線１３０を連結している。
【０１０４】
第３変形例では、前述のように梁１４０を配置することにより、細線１３０間のスリット１２８の全部に、それぞれ、４本の梁１４０が存在し、隣り合う細線１３０は４カ所で梁１４０によって接続されている。このように、第３変形例に係る構成によれば、グリッド１１０に比べ、梁１４０は、総数が多く、感光体６２の軸方向及び周方向へ高密度で設けられている。
【０１０５】
（グリッド１１０の第４変形例）
グリッド１１０では、各２つの梁群１５０Ａ・１５０Ｂ・１５０Ｃ・１５０Ｄの計８つで、梁群１５０が構成されていたのに対して、第４変形例に係るグリッド４１０では、図１３（Ａ）に示すように、８つの梁群４５０が設けられている。この梁群４５０は、感光体６２の軸方向（図中の矢印Ｄ方向）に沿って配置されている。なお、図１３（Ａ）では、各梁群１５０Ａ・１５０Ｂ・１５０Ｃ・１５０Ｄを簡略化して示している。
【０１０６】
グリッド１１０における各梁群１５０Ａ・１５０Ｂ・１５０Ｃ・１５０Ｄでは、感光体６２の軸方向へ隣り合う梁１４０が、全部が異なる２本の細線１３０を感光体６２の周方向に沿って連結していたのに対して、グリッド４１０における各梁群４５０では、感光体６２の軸方向へ隣り合う梁１４０が、１本が異なり１本が共通する２本の細線１３０を連結している。
【０１０７】
具体的には、梁群４５０では、それぞれ、図１３（Ｂ）における下側から見て１つ目の梁１４０Ａが、線状部１２７と図１３（Ｂ）における下側から見て１本目の細線１３０とを連結し、さらに、２つ目の梁１４０Ｂが１本目と２本目の細線１３０を連結し、さらに、３つ目の梁１４０Ｃが２本目と３本目の細線１３０を連結し、以下同様に、梁１４０は、図１３（Ｂ）における上側へスリット１２８が１つずれた位置で、２本の細線１３０を連結している。なお、図１３（Ｂ）は、取付部１０４Ｃ側に配置された梁群４５０が図示されている。
【０１０８】
第４変形例では、前述のように梁１４０を配置することにより、細線１３０間のスリット１２８の全部に、それぞれ、８本の梁１４０が存在し、隣り合う細線１３０は８カ所で梁１４０によって接続されている。このように、第４変形例に係る構成によれば、グリッド１１０に比べ、梁１４０は、総数が多く、感光体６２の軸方向及び周方向へ高密度で設けられている。
【０１０９】
（グリッド１１０の第５変形例）
グリッド１１０では、各２つの梁群１５０Ａ・１５０Ｂ・１５０Ｃ・１５０Ｄの計８つで、梁群１５０が構成されていたのに対して、第５変形例に係るグリッド５１０では、図１４（Ａ）に示すように、４つの梁群５５０が設けられている。この梁群５５０は、感光体６２の軸方向に沿って配置されている。
【０１１０】
グリッド１１０における各梁群１５０Ａ・１５０Ｂ・１５０Ｃ・１５０Ｄでは、感光体６２の軸方向へ隣り合う梁１４０が、全部が異なる２本の細線１３０を感光体６２の周方向に沿って連結していたのに対して、グリッド５１０における各梁群５５０では、感光体６２の軸方向へ隣り合う梁１４０が、１本が異なり１本が共通する２本の細線１３０を連結している。
【０１１１】
具体的には、梁群５５０では、それぞれ、図１４（Ｂ）における下側から見て１つ目の梁１４０Ａが、線状部１２７と図１４（Ｂ）における下側から見て１本目の細線１３０とを連結し、さらに、２つ目の梁１４０Ｂが１本目と２本目の細線１３０を連結し、さらに、３つ目の梁１４０Ｃが２本目と３本目の細線１３０を連結し、以下同様に、梁１４０は、図１４（Ｂ）における上側へスリット１２８が１つずれた位置で、２本の細線１３０を連結している。なお、図１４（Ｂ）は、取付部１０４Ｃ側に配置された梁群５５０が図示されている。
【０１１２】
また、グリッド１１０における各梁群１５０Ａ・１５０Ｂ・１５０Ｃ・１５０Ｄでは、感光体６２の軸方向へ隣り合う梁１４０が、感光体６２の軸方向へ間隔をおいて配置されていたのに対して、グリッド５１０における各梁群５５０では、感光体６２の軸方向へ隣り合う梁１４０は、感光体６２の軸方向へ間隔がなく、直線状をなしている。
【０１１３】
すなわち、例えば、梁１４０Ａの一端（図１４（Ｂ）における左端）と、梁１４０Ｂの一端（図１４（Ｂ）における右端）とは、図１４（Ｂ）における下側から見て１本目の細線１３０の同じ位置で接続され、梁１４０Ａ・梁１４０Ｂは、直線状をなしている。これにより、各梁群５５０において、複数の梁１４０全体が、細線１３０に対して斜めに直線状に設けられている。なお、梁１４０は、細線１３０に対して、例えば、３０度の角度を有している。
【０１１４】
第５変形例では、前述のように梁１４０を配置することにより、細線１３０間のスリット１２８の全部に、それぞれ、４本の梁１４０が存在し、隣り合う細線１３０は４カ所で梁１４０によって接続されている。このように、第５変形例に係る構成によれば、グリッド１１０に比べ、梁１４０は、総数が多く、感光体６２の軸方向及び周方向へ高密度で設けられている。
【０１１５】
（グリッド１１０の第６変形例）
グリッド１１０では、梁群１５０Ａ・１５０Ｂ・１５０Ｃ・１５０Ｄの４種類で梁群１５０が構成されていたのに対して、第６変形例に係るグリッド６１０では、図１５に示すように、梁群６５０Ａ・６５０Ｂ・６５０Ｃ・６５０Ｄ・６５０Ｅ・６５０Ｆ・６５０Ｇ・６５０Ｈ・６５０Ｉの９種類で梁群６５０が構成されている。
【０１１６】
グリッド１１０における梁群１５０Ａ・１５０Ｂ・１５０Ｃ・１５０Ｄでは、各梁１４０が、スリット１２８を３つ飛ばした位置に連続して形成されていたのに対して、グリッド６１０における梁群６５０Ａ・６５０Ｂ・６５０Ｃ・６５０Ｄ・６５０Ｅ・６５０Ｆ・６５０Ｇ・６５０Ｈ・６５０Ｉでは、各梁１４０が、スリット１２８を８つ飛ばした位置に連続して形成されている。
【０１１７】
具体的には、梁群６５０Ａでは、図１５における下側から見て１つ目の梁１４０Ａが、線状部１２７と図１５における下側から見て１本目の細線１３０とを連結し、さらに、２つ目の梁１４０Ｂが、スリット１２８を８つ飛ばした位置で９本目と１０本目の細線１３０を連結し、以下同様に、梁１４０は、スリット１２８を８つ飛ばした位置で２本の細線１３０を連結している。
【０１１８】
梁群６５０Ｂでは、図１５における下側から見て１つ目の梁１４０Ｃが、図１５における下側から見て５本目と６本目の細線１３０を連結し、さらに、２つ目の梁１４０Ｄが、スリット１２８を８つ飛ばした位置で１４本目と１５本目の細線１３０を連結し、以下同様に、梁１４０は、スリット１２８を８つ飛ばした位置で２本の細線１３０を連結している。
【０１１９】
梁群６５０Ｃでは、図１５における下側から見て１つ目の梁１４０Ｅが、図１５における下側から見て１本目と２本目の細線１３０を連結し、さらに、２つ目の梁１４０Ｆが、スリット１２８を８つ飛ばした位置で１０本目と１１本目の細線１３０を連結し、以下同様に、梁１４０は、スリット１２８を８つ飛ばした位置で２本の細線１３０を連結している。
【０１２０】
梁群６５０Ｄでは、図１５における下側から見て１つ目の梁１４０Ｇが、図１５における下側から見て６本目と７本目の細線１３０を連結し、さらに、２つ目の梁１４０Ｈが、スリット１２８を８つ飛ばした位置で１５本目と１６本目の細線１３０を連結し、以下同様に、梁１４０は、スリット１２８を８つ飛ばした位置で２本の細線１３０を連結している。
【０１２１】
梁群６５０Ｅでは、図１５における下側から見て１つ目の梁１４０Ｉが、図１５における下側から見て２本目と３本目の細線１３０を連結し、さらに、２つ目の梁１４０Ｊが、スリット１２８を８つ飛ばした位置で１１本目と１２本目の細線１３０を連結し、以下同様に、梁１４０は、スリット１２８を８つ飛ばした位置で２本の細線１３０を連結している。
【０１２２】
梁群６５０Ｆでは、図１５における下側から見て１つ目の梁１４０Ｋが、図１５における下側から見て７本目と８本目の細線１３０を連結し、さらに、２つ目の梁１４０Ｌが、スリット１２８を８つ飛ばした位置で１６本目と１７本目の細線１３０を連結し、以下同様に、梁１４０は、スリット１２８を８つ飛ばした位置で２本の細線１３０を連結している。
【０１２３】
梁群６５０Ｇでは、図１５における下側から見て１つ目の梁１４０Ｍが、図１５における下側から見て３本目と４本目の細線１３０を連結し、さらに、２つ目の梁１４０Ｎが、スリット１２８を８つ飛ばした位置で１２本目と１３本目の細線１３０を連結し、以下同様に、梁１４０は、スリット１２８を８つ飛ばした位置で２本の細線１３０を連結している。
【０１２４】
梁群６５０Ｈでは、図１５における下側から見て１つ目の梁１４０Ｏが、図１５における下側から見て８本目と９本目の細線１３０を連結し、さらに、２つ目の梁１４０Ｐが、スリット１２８を８つ飛ばした位置で１７本目と１８本目の細線１３０を連結し、以下同様に、梁１４０は、スリット１２８を８つ飛ばした位置で２本の細線１３０を連結している。
【０１２５】
梁群６５０Ｉでは、図１５における下側から見て１つ目の梁１４０Ｑが、図１５における下側から見て４本目と５本目の細線１３０を連結し、さらに、２つ目の梁１４０Ｒが、スリット１２８を８つ飛ばした位置で１３本目と１４本目の細線１３０を連結し、以下同様に、梁１４０は、スリット１２８を８つ飛ばした位置で２本の細線１３０を連結している。
【０１２６】
なお、梁群６５０Ａ・６５０Ｂ・６５０Ｃ・６５０Ｄ・６５０Ｅ・６５０Ｆ・６５０Ｇ・６５０Ｈ・６５０Ｉは、図示はしないが、感光体６２の軸方向に沿ってこの順で繰り返し、グリッド１１０全体に各８つ設けられている。
【０１２７】
第６変形例では、前述のように梁１４０を配置することにより、細線１３０間のスリット１２８の全部に、それぞれ、８本の梁１４０が存在し、隣り合う細線１３０は８カ所で梁１４０によって接続されている。このように、第６変形例に係る構成によれば、グリッド１１０に比べ、梁１４０は、総数が多く、感光体６２の軸方向及び周方向へ高密度で設けられている。
【０１２８】
（グリッド１１０の第７変形例）
第７変形例に係るグリッド７１０では、図１６（Ａ）（Ｂ）に示すように、グリッド７１０の短手方向（図中の矢印Ｓ方向）中央で電極部１０４Ｂを仕切る仕切部７２０が設けられている。この仕切部７２０を挟んで一方側（図１６（Ａ）（Ｂ）における上側）には、梁群７５０Ａ・７５０Ｂが設けられ、他方側（図１６（Ａ）（Ｂ）における下側）には、梁群７５０Ｃ・７５０Ｄが設けられている。梁群７５０Ａ・７５０Ｂは、感光体６２の軸方向に沿って、この順で交互に配置され、梁群７５０Ｃ・７５０Ｄは、感光体６２の軸方向に沿って、この順で交互に配置されている。なお、図１６（Ａ）では、各梁群７５０Ａ・７５０Ｂ・７５０Ｃ・７５０Ｄを簡略化して示している。
【０１２９】
梁群７５０Ａでは、それぞれ、図１６（Ｂ）における上側から見て１つ目の梁１４０Ａが、線状部１２９と図１６（Ｂ）における上側から見て１本目の細線１３０とを連結し、さらに、２つ目の梁１４０Ｂが、スリット１２８を１つ飛ばした位置で２本目と３本目の細線１３０を連結し、以下同様に、梁１４０は、スリット１２８を１つ飛ばした位置で２本の細線１３０を連結している。
【０１３０】
梁群７５０Ｂでは、それぞれ、図１６（Ｂ）における上側から見て１つ目の梁１４０Ｄが、図１６（Ｂ）における上側から見て１本目と２本目の細線１３０とを連結し、さらに、２つ目の梁１４０Ｅが、スリット１２８を１つ飛ばした位置で３本目と４本目の細線１３０を連結し、以下同様に、梁１４０は、スリット１２８を１つ飛ばした位置で２本の細線１３０を連結している。
【０１３１】
梁群７５０Ｃでは、それぞれ、図１６（Ｂ）における下側から見て１つ目の梁１４０Ｇが、線状部１２７と図１６（Ｂ）における下側から見て１本目の細線１３０とを連結し、さらに、２つ目の梁１４０Ｈが、スリット１２８を１つ飛ばした位置で２本目と３本目の細線１３０を連結し、以下同様に、梁１４０は、スリット１２８を１つ飛ばした位置で２本の細線１３０を連結している。
【０１３２】
梁群７５０Ｄでは、それぞれ、図１６（Ｂ）における下側から見て１つ目の梁１４０Ｊが、図１６における下側から見て１本目と２本目の細線１３０とを連結し、さらに、２つ目の梁１４０Ｋが、スリット１２８を１つ飛ばした位置で３本目と４本目の細線１３０を連結し、以下同様に、梁１４０は、スリット１２８を１つ飛ばした位置で２本の細線１３０を連結している。
【０１３３】
梁群７５０Ａ・７５０Ｂでは、複数の梁１４０は、線状部１２９から仕切部７２０へ行くに連れて取付部１０４Ｃ側へ斜めにずれながら配置されている。梁群７５０Ｃ・７５０Ｄでは、複数の梁１４０は、線状部１２７から仕切部７２０へ行くに連れて取付部１０４Ｃ側へ斜めにずれながら配置されている。すなわち、仕切部７２０を挟んで一方側の梁群７５０Ａ・７５０Ｂと、他方側の梁群７５０Ｃ・７５０Ｄとでは、複数の梁１４０の配置方向が異なっている。
【０１３４】
このように、仕切部７２０を挟んで一方側の梁群７５０Ａ・７５０Ｂと、他方側の梁群７５０Ｃ・７５０Ｄとで複数の梁１４０の配置方向が異なっている第７変形例において、梁群７５０Ａ・７５０Ｂ及び梁群７５０Ｃ・７５０Ｄに替えて、それぞれ、グリッド１１０における梁群１５０、グリッド３１０における梁群３５０、グリッド４１０における梁群４５０・グリッド５１０における梁群５５０・グリッド６１０における梁群６５０のいずれかを適用してもよい。また、第７変形例においては、仕切部７２０がない構成であってもよい。
【０１３５】
（グリッド１１０の第８変形例）
第８変形例に係るグリッド８１０は、図１７に示すように、グリッド１１０において取付部１０４Ｃ側に設けられた梁群１５０Ａ・梁群１５０Ｂ及び取付部１０４ａ側に設けられた梁群１５０Ｃ・梁群１５０Ｄに替えて、第４変形例における梁群４５０を備えている。なお、図１７では、各梁群１５０Ａ・１５０Ｂ・１５０Ｃ・１５０Ｄ・４５０を簡略化して示している。
【０１３６】
感光体６２の軸方向（図中の矢印Ｄ方向）両端側に設けられた梁群４５０よりも、感光体６２の軸方向（図中の矢印Ｄ方向）中央側に設けられた梁群１５０Ａ・１５０Ｂ・１５０Ｃ・１５０Ｄの方が、梁１４０の総数が少なく、第８変形例に係るグリッド８１０は、感光体６２の軸方向中央部において、梁１４０が低密度とされている。
【０１３７】
本実施形態のように、感光体６２の軸方向両端部で作用される力によってグリッド８１０を弾性変形させる構成であっても、グリッド８１０の軸方向において均一にグリッド８１０を湾曲させやすい。
【０１３８】
第８変形例は、梁１４０の数を感光体６２の軸方向両端側よりも中央側で少なくする構成であったが、感光体６２の軸方向中央部において梁１４０が低密度とする構成としては、例えば、梁１４０の太さを感光体６２の軸方向両端側よりも中央側で細くする構成であっても良い。また、梁１４０の密度は、感光体６２の軸方向両端から中央に向けて、第８変形例のように段階的に変化させる構成であっても、徐々に変化させる構成であっても良い。
【０１３９】
本発明は、上記の実施形態に限るものではなく、種々の変形、変更、改良が可能である。例えば、上記に示した変形例は、適宜、複数を組み合わせて構成しても良い。また、帯電装置１００は、２本の放電ワイヤ１０６・１０８を備えていたが、１本又は３本以上であってもよい。
【０１４０】
また、上記の実施形態及び変形例では、梁１４０は２本の細線１３０を連結していたが、梁１４０としては、全ての構造線１２７〜１３０のうち感光体６２の周方向に連続する３本以上で全本数未満の構造線１２７〜１３０を連結する構成であっても良い。
【０１４１】
また、本実施形態では、一の梁１４０に対して、感光体６２の軸方向にずれている場合には、他の梁１４０と定義する。従って、感光体６２の周方向に連続する３本以上で全本数未満の構造線１２７〜１３０を連結する梁１４０は、細線１３０に対して直角に細線１３０を連結する場合に限られる。梁１４０が、構造線１２７〜１３０に対して斜めに構造線１２７〜１３０を連結する場合には、図１４（Ｂ）に示すように、見かけ上、感光体６２の周方向に連続する３本以上の構造線１２７〜１３０を連結する場合でも、２本の構造線１２７〜１３０間でその２本の構造線１２７〜１３０を連結する線が一つの梁１４０である。
【符号の説明】
【０１４２】
１０   画像形成装置
６２   感光体（被帯電体の一例）
１００ 帯電装置
１０６  放電ワイヤ（放電電極の一例）
１０８  放電ワイヤ（放電電極の一例）
１１０ グリッド（電位制御板の一例）
１１２  取付部材（湾曲規制部材の一例）
１１２Ｂ  引掛部（張力付与部材一例）
１１４  取付部材（湾曲規制部材の一例）
１１４Ｄ  引掛部（張力付与部材一例）
１２２  板ばね（湾曲維持部材の一例）
１２４  板ばね（湾曲維持部材の一例）
１２６ 清掃部材
１２７  線状部（構造線の一例）
１２９  線状部（構造線の一例）
１３０ 細線（構造線の一例）
１４０ 梁（連結部の一例）
１６０ グリッド（電位制御板の一例）
２１０ グリッド（電位制御板の一例）
３１０ グリッド（電位制御板の一例）
４１０ グリッド（電位制御板の一例）
５１０ グリッド（電位制御板の一例）
６１０ グリッド（電位制御板の一例）
７１０ グリッド（電位制御板の一例）
８１０ グリッド（電位制御板の一例）
【図１】
0005760582.tif 000002
【図２】
0005760582.tif 000003
【図３】
0005760582.tif 000004
【図４】
0005760582.tif 000005
【図５】
0005760582.tif 000006
【図６】
0005760582.tif 000007
【図７】
0005760582.tif 000008
【図８】
0005760582.tif 000009
【図９】
0005760582.tif 000010
【図１０】
0005760582.tif 000011
【図１１】
0005760582.tif 000012
【図１２】
0005760582.tif 000013
【図１３】
0005760582.tif 000014
【図１４】
0005760582.tif 000015
【図１５】
0005760582.tif 000016
【図１６】
0005760582.tif 000017
【図１７】
0005760582.tif 000018